(57)【要約】【課題】１台の同じ車輌に対して軽油及び尿素水溶液の補給作業を行う場合であっても、軽油及び尿素水溶液それぞれの給液作業を、効率的にかつ容易に、誤りなく行える給液装置を提供する。【解決手段】それぞれ別々のハウジング１１を有する互いに独立した軽油給液機１０Ａと尿素水給液機１０Ｂとを、互いに適宜距離だけ離間させて並べて設け、１台の同じ車輌に対して軽油及び尿素水溶液の補給作業を行う場合であっても、軽油及び尿素水溶液それぞれのプリセット給液量等の各種設定が一方の軽油給液機１０Ａに備えられた設定器３１を用いて一か所で容易にかつ効率的に行うことができ、設定器３１の「設定完了」キー５５の操作による並行給液実行条件が満たされていれば、軽油及び尿素水溶液それぞれの対応するタンクへの補給を並行して行える。【選択図】図１
2019156456.tif 000002
【特許請求の範囲】
【請求項１】
送液機器、計量機器、及び給液制御部を備え、供給対象に対する軽油の給液作業を行う軽油給液機と、
送液機器、計量機器、及び給液制御部を備え、供給対象に対する尿素水の給液作業を行う尿素水給液機と
を有する給液装置であって、
前記軽油給液機と前記尿素水給液機とは別筐体で離間して配置され、
前記軽油給液機又は前記尿素水給液機の中の一方の給液機筐体には、当該一方の給液機の送液機器、計量機器、給液制御部、及び当該一方の給液機で供給対象に対して実際に給液された給液量を含む一方の給液情報を表示する給液表示器に加えて、
給液作業の開始に際して、一の供給対象に対して双方の給液機それぞれで給液する軽油、尿素水それぞれの所望の給液量又は給液金額を含む給液プリセット情報を設定する設定器と、
他方の給液機で供給対象に対して実際に給液された給液量を含む他方の給液情報を表示する他方給液表示器と、
当該一方の給液機の給液制御部、前記設定器、前記他方給液表示器と接続されるとともに、前記他方の給液機の給液制御部と接続された装置制御部と、
が設けられ、
前記装置制御部は、
前記設定器により、一の供給対象に対する軽油、尿素水、又は軽油及び尿素水双方の給液プリセット情報が設定された場合には、当該設定された給液プリセット情報を対応する前記給液機の給液制御部に対して出力する一方、前記他方の給液機の給液制御部に給液プリセット情報を出力した場合には、前記他方の給液機の給液制御部からの給液作業許可要求の受信により当該他方の給液機の給液制御部に対して前記送液機器及び計量機器による給液作業許可を送信し、当該他方の給液機から他方の給液機で供給対象に対して実際に給液された給液量を含む他方の給液情報を受信すると前記他方給液表示器に表示する
ことを特徴とする給液装置。
【請求項２】
前記一方の給液機筐体には、伝票発行機が備えられ、
前記装置制御部は、
前記設定器により、一の供給対象に対する軽油又は尿素水の中の何れか一方だけの給液プリセット情報が設定された場合には、前記一方又は他方の対応する給液機による供給対象に対する実際の給液完了後、当該対応する給液機の給液制御部からの給液情報を基づく給液伝票を前記伝票発行機から発行させ、
前記設定器により、一の供給対象に対する軽油及び尿素水双方の給液プリセット情報が設定された場合には、前記一方及び他方の対応する給液機それぞれによる供給対象に対する軽油及び尿素水双方の実際の給液完了後、当該一方及び他方の対応する給液機の給液制御部からのそれぞれ給液情報を基づく一括の給液伝票を前記伝票発行機から発行させる
ことを特徴とする請求項１に記載の給液装置。
【請求項３】
前記装置制御部は、
前記設定器により、一の供給対象に対する軽油及び尿素水双方の給液プリセット情報が設定された場合には、前記一方及び他方の対応する給液機それぞれの給液制御部からの給液作業許可要求が入力された後、当該一方及び他方の対応する給液機それぞれの給液制御部に対して前記送液機器及び計量機器による給液作業許可を送信する
ことを特徴とする請求項１に記載の給液装置。
【発明の詳細な説明】
【技術分野】
【０００１】
本開示は、給油所に設置される給液装置に係り、特にディーゼルエンジン車輌に軽油及び尿素水溶液を給液する給液装置に関する。
【背景技術】
【０００２】
通常、ディーゼルエンジン車輌は、燃料の軽油を貯留する燃料タンクの他に、排気ガスを浄化するために使用される尿素水溶液（以下では、単に尿素水とも称す）の貯留タンクを備えた車輌構造になっている。
【０００３】
給油所では、軽油及び尿素水といった異液種の貯留タンクを備えたディーゼルエンジン車輌が到着すると、軽油貯留用の燃料タンクに軽油を補給する作業が行えるだけでなく、尿素水用貯留の尿素水タンクに排気ガス浄化用の尿素水を補給する作業も行える。
【０００４】
このような給油所に設置され、ディーゼルエンジン車輌に軽油及び尿素水溶液を給液することができる給液装置として、例えば特許文献１に記載された給液装置がある。
【０００５】
特許文献１に記載の給液装置は、１台の同じ車輌に対して、車両を移動させることなく軽油及び尿素水をそれぞれ給液できるように、軽油用の給液機構と、尿素水溶液用の給液機構と、両給液機構の給液を制御する制御装置とが、一つのハウジングに設けられた一体型の給液装置の構成になっている。
【０００６】
そして、特許文献１に記載の給液装置では、１台の同じ車輌に対して軽油及び尿素水溶液のそれぞれ補給作業を行う場合、軽油又は尿素水溶液の中のいずれか一方の補給作業の終了後に、まだ給液が行われていない他方の補給作業を促す案内がなされ、軽油、尿素水溶液それぞれの複数の補給作業が１つずつ順番に続けて行われるようになっており、さらに、表示器には軽油及び尿素水溶液の合算給液金額が表示される構成になっている。
【先行技術文献】
【特許文献】
【０００７】
【特許文献１】特開２００７−２３０５７１号公報
【発明の概要】
【発明が解決しようとする課題】
【０００８】
上述した従来技術の給液装置では、軽油給液機と尿素水給液機とが一つのハウジングに設けられた一体型になっているため、顧客自らが給液機を操作して補給作業を行うセルフサービス方式の給油所に適用した場合、作業者である顧客は、どちらの給液ノズルからどちらの液体が供給できるのかが判りにくかった。
【０００９】
また、それぞれ別々のハウジングを有する互いに独立した軽油給液機と尿素水給液機とを並べて設けた給油所では、作業者は、給液機毎にそれぞれ設けられた設定器により、これから当該給液機を使用して行う個別給液作業についての各種設定を行う必要があり、１台の同じ車輌に対して軽油及び尿素水溶液のそれぞれ補給作業を行う場合は、その設定に手間がかかる。また、軽油、尿素水溶液それぞれの給液量の確認も、各給液機のハウジングに備えられた表示器間で視線をいちいち移動させて確認しなければならず、軽油及び尿素水溶液のそれぞれ給液量を確認しにくかった。
【００１０】
本開示は、上述した技術的課題を解決し、１台の同じ車輌に対して軽油及び尿素水溶液の補給作業を行う場合であっても、軽油及び尿素水溶液それぞれの給液作業を、効率的にかつ容易に、誤りなく行える給液装置を提供することを目的とする。
【課題を解決するための手段】
【００１１】
本開示に係る給液装置は、上記課題を解決するため、送液機器、計量機器、及び給液制御部を備え、供給対象に対する軽油の給液作業を行う軽油給液機と、送液機器、計量機器、及び給液制御部を備え、供給対象に対する尿素水の給液作業を行う尿素水給液機と、を有する給液装置であって、前記軽油給液機と前記尿素水給液機とは別筐体で離間して配置され、前記軽油給液機又は前記尿素水給液機の中の一方の給液機筐体には、当該一方の給液機の送液機器、計量機器、給液制御部、及び当該一方の給液機で供給対象に対して実際に給液された給液量を含む一方の給液情報を表示する給液表示器に加えて、給液作業の開始に際して、一の供給対象に対して双方の給液機それぞれで給液する軽油、尿素水それぞれの所望の給液量又は給液金額を含む給液プリセット情報を設定する設定器と、他方の給液機で供給対象に対して実際に給液された給液量を含む他方の給液情報を表示する他方給液表示器と、当該一方の給液機の給液制御部、前記設定器、前記他方給液表示器と接続されるとともに、前記他方の給液機の給液制御部と接続された装置制御部と、が設けられ、前記装置制御部は、前記設定器により、一の供給対象に対する軽油、尿素水、又は軽油及び尿素水双方の給液プリセット情報が設定された場合には、当該設定された給液プリセット情報を対応する前記給液機の給液制御部に対して出力する一方、前記他方の給液機の給液制御部に給液プリセット情報を出力した場合には、前記他方の給液機の給液制御部からの給液作業許可要求の受信により当該他方の給液機の給液制御部に対して前記送液機器及び計量機器による給液作業許可を送信し、当該他方の給液機から他方の給液機で供給対象に対して実際に給液された給液量を含む他方の給液情報を受信すると前記他方給液表示器に表示することを特徴とする。
【発明の効果】
【００１２】
本開示に係る給液装置によれば、１台の同じ車輌に対して軽油及び尿素水溶液の補給作業を行う場合であっても、軽油及び尿素水溶液それぞれのプリセット給液量等の各種設定が一方の給液機に備えられた設定器を用いて一か所で容易にかつ効率的に行うことができる。
【００１３】
そして、１台の同じ車輌に対して軽油及び尿素水溶液の補給作業を行う場合であっても、予め定められた並行給液実行条件が満たされていれば、軽油及び尿素水溶液それぞれの対応するタンクへの補給を並行して行えるので、それぞれの補給に費やす作業時間を短縮することができる。
【００１４】
また、本開示の上記した以外の、課題、構成及び効果については、以下の実施の形態の説明により明らかにされる。
【図面の簡単な説明】
【００１５】
【図１】本実施の形態に係る給液装置の概略構成を示した全体構成図である。
【図２】本実施の形態に係る給液装置に設けられた設定器の外観図である。
【図３】軽油給液機、尿素水給液機それぞれに設けられた給液制御部が実行する給液制御のフローチャートである。
【図４】軽油給液機と尿素水給液機とを備えた給液装置のメイン制御部としての装置制御部による給液装置制御のフローチャートである。
【図５】図４に示した、装置制御部による給液装置制御のフローチャートの続きである。
【図６】図５に示した、装置制御部による給液装置制御のフローチャートのさらに続きである。
【図７】メイン制御部としての装置制御部による給液装置制御の変形例のフローチャートである。
【図８】図７に示した、装置制御部による給液装置制御のフローチャートの続きである。
【発明を実施するための形態】
【００１６】
以下、本開示に係る給液装置の一実施の形態について、図面を参照しながら説明する。
【００１７】
図１は、本実施の形態に係る給液装置の概略構成を示した全体構成図である。
【００１８】
本実施の形態に係る給液装置１は、それぞれ別々のハウジング１１を有する互いに独立した軽油給液機１０Ａと尿素水給液機１０Ｂとを、互いに適宜距離だけ離間させて並べて設けた構成になっている。適宜距離の具体例としては、車体に備えられた燃料タンクの給液口と尿素水タンクの給液口との平均的な離間距離、作業者が給液機１０Ａ，１０Ｂ間を通り抜けできる隙間分距離、等が挙げられる。
【００１９】
その上で、給液装置１における軽油給液機１０Ａの構成は、本実施の形態では次に述べるような構成になっている。
【００２０】
軽油給液機１０Ａは、ハウジング１１内に、ポンプ１２、流量計１３、電磁弁１４が配設された液供給路１５が設けられ、ハウジング１１外に、先端に給液ノズル１７を備えた給液ホース１６が導出された構成の給液系統になっている。
液供給路１５の一端は、図示せぬ供給配管と連通接続され、この供給配管を介して、給油所地下等に設けられた軽油貯液タンクと連通している。これに対し、液供給路１５の他端は、給液ホース１６の基端と連通接続されている。
【００２１】
ポンプ１２は、ポンプモータ１８の駆動によって送液作動し、給液ノズル１７に対し軽油の送液を行う。
流量計１３は、ポンプ１２の送液作動によりポンプ１２から給液ノズル１７に対して送液された液量、すなわち給液対象に対する給液量を計測する。流量計１３には、流量パルス発信器１９が設けられ、流量パルス発信器１９は、流量計１３の計測流量を基に単位液量毎の流れに対応する流量パルス信号を生成出力する。
電磁弁１４は、入力される弁制御信号に基づいて開弁/閉弁し、ポンプ１２から給液ノズル１７への液供給を制御する。
【００２２】
給液ノズル１７は、その操作レバーの開/閉操作に応じてノズル本体内の弁機構を開弁/閉弁し、給液ノズル１７から給液対象への液吐出を調整する。
給液ノズル１７は、給液作業で使用されていない待機時には、ハウジング１１に設けられたノズル収納部２０に収納されている。給液作業時には、作業者により、ノズル収納部２０から取り出されて使用される。そのため、ノズル収納部２０には、ノズル収納部２０に対する給液ノズル１７の取り出し/収納を検出するノズルスイッチ２１が設けられている。ノズルスイッチ２１は、ノズル収納部２０に対する給液ノズル１７の取り出し/収納に対応するノズルスイッチ信号を生成出力する。
【００２３】
また、図示の給液装置１の場合は、軽油給液機１０Ａのハウジング１１には、給液対象に対する軽油給液量や軽油給液金額といった給液情報を表示するための軽油用の給液表示器２２が設けられている。
【００２４】
上述した軽油給液機１０Ａによる給液対象に対する給液実行制御は、同じハウジング１１内に設けられ、上述した機器と信号接続された給液制御部２３によって行われる。給液制御部２３は、給液装置１のメイン制御部に対するサブ制御部として、例えば、ＣＰＵ、メモリ、入出力インタフェース等を備えたマイクロコンピュータによって構成されている。
【００２５】
給液制御部２３は、作業者によって給液ノズル１７がノズル収納部２０から取り出され、給液対象に対する軽油の給液作業が開始されると、送液機器としてのポンプ１２、電磁弁１４を送液作動し、ポンプ１２から給液ノズル１７への軽油の送液を開始させる。
【００２６】
そして、作業者によって給液ノズル１７が開弁操作され、給液対象への軽油の液吐出が開始されると、給液制御部２３は、計測機器としての流量計１３に付設された流量パルス発信器１９から出力される流量パルス信号を基に、今回給液作業における、給液対象に対する軽油給液量を演算する。この演算した軽油給液量は、軽油給液機１０Ａの場合、給液制御部２３によって、軽油給液機１０Ａのハウジング１１に設けられた軽油用の給液表示器２２に出力され、表示される。
【００２７】
その後、給液対象に対する所望量の軽油の給液が完了し、作業者によって給液ノズル１７がノズル収納部２０に収納され、給液対象に対する軽油の給液作業が終了されると、給液制御部２３は、送液機器としてのポンプ１２、電磁弁１４の送液作動を停止し、給液ノズル１７への軽油の送液を停止させる。
【００２８】
一方、尿素水給液機１０Ｂも、軽油給液機１０Ａの場合と同様に、ポンプ１２、流量計１３、電磁弁１４が配設された液供給路１５が設けられ、ハウジング１１外に、先端に給液ノズル１７を備えた給液ホース１６が導出された給液系統を有する構成になっている。なお、これら各機器自体は、軽油給液機１０Ａの場合と扱う液体が尿素水で異なり、送液、耐食等の要求性能が異なることから、形式、性能、材質等の構成は軽油給液機１０Ａの該当機器とは異なっている。
【００２９】
加えて、尿素水給液機１０Ｂでは、液供給路１５の一端は、図示せぬ供給配管を介して、給油所地下等に設けられた尿素水貯液タンクと連通している点、及び尿素水給液機１０Ｂのハウジング１１には、給液対象に対する尿素水給液量や尿素水給液金額といった給液情報を表示するための尿素水用の給液表示器が備えられていない点が、軽油給液機１０Ａの場合と相違する。
【００３０】
そのため、尿素水給液機１０Ｂについては、軽油給液機１０Ａの場合と同一又は同様な構成機器については、図１において同一符号を付し、個々の構成機器についての重複する説明は省略する。そして、以下の説明では、個々の構成機器について特に軽油用と尿素水用とで区別する必要がある場合に、例えば流量計１３Ａ、１３Ｂといった具合に、軽油用の場合には符号にＡを追加し、尿素水用の場合には符号にＢを追加して区別する。
【００３１】
したがって、尿素水給液機１０Ｂの場合も、作業者によって給液ノズル１７がノズル収納部２０から取り出され、給液対象に対する尿素水の給液作業が開始されると、送液機器としてのポンプ１２、電磁弁１４が送液作動され、ポンプ１２から給液ノズル１７への尿素水の送液が開始される。
【００３２】
そして、作業者によって給液ノズル１７が開弁操作され、給液対象への尿素水の液吐出が開始されると、給液制御部２３によって、計測機器としての流量計１３に付設された流量パルス発信器１９から出力される流量パルス信号を基に、今回給液作業における、給液対象に対する尿素水給液量が演算される。
【００３３】
その後、給液対象に対する所望量の尿素水の給液が完了し、作業者によって給液ノズル１７がノズル収納部２０に収納され、給液対象に対する尿素水の給液作業が終了されると、給液制御部２３によって、送液機器としてのポンプ１２、電磁弁１４の送液作動が停止され、ポンプ１２から給液ノズル１７への尿素水の送液が停止させられる。
【００３４】
その上で、それぞれ別々のハウジング１１を有する互いに独立した軽油給液機１０Ａと尿素水給液機１０Ｂとを備えた本実施の形態に係る給液装置１にあっては、軽油給液機１０Ａ又は尿素水給液機１０Ｂの中のいずれか一方に、図示の例では軽油給液機１０Ａのハウジング１１に、軽油給液機１０Ａ、尿素水給液機１０Ｂそれぞれによる給液作業の作業情報を設定する設定器３１と、相手方の尿素水給液機１０Ｂを使用して実行された尿素水の給液量を表示する尿素水用の給液表示器３２と、１台の同じ車輌に対して軽油及び尿素水溶液の補給作業を行う場合に軽油と尿素水の合算給液金額を表示する合算表示器３３と、顧客が所持する給液対象の識別カードを読み取るカードリーダ３４と、給液作業の実行結果を記載した伝票を発行印刷する伝票発行機３５と、軽油給液機１０Ａと尿素水給液機１０Ｂとを備えた給液装置１全体の制御を行う装置制御部４０とが設けられている。
【００３５】
装置制御部４０は、軽油給液機１０Ａと尿素水給液機１０Ｂとを備えた給液装置１のメイン制御部として、例えば、ＣＰＵ、メモリ、入出力インタフェース等を備えたマイクロコンピュータによって構成されている。その上で、装置制御部４０には、これら設定器３１、尿素水用の給液表示器３２、合算表示器３３、カードリーダ３４、伝票発行機３５が、それぞれ信号接続されている。さらに、装置制御部４０は、同じハウジング１１内の軽油給液機１０Ａの給液制御部２３（２３Ａ）とワイヤード接続されているとともに、別ハウジング１１内の尿素水給液機１０Ｂの給液制御部２３（２３Ｂ）とも、軽油給液機１０Ａ及び尿素水給液機１０Ｂそれぞれに設けられた無線送受信機４５（４５Ａ，４５Ｂ）を介してワイヤレス接続されている。これにより、装置制御部４０は、各給液機１０Ａ、１０Ｂそれぞれの給液制御部２３Ａ、２３Ｂとの間でデータや制御指示の交信が行えるようになっており、直接的に、或いは給液制御部２３Ａ、２３Ｂを介して間接的に、軽油給液機１０Ａと尿素水給液機１０Ｂとを備えた給液装置１の各部の制御を行うことができるようになっている。
【００３６】
さらに、本実施の形態の給液装置１においては、装置制御部４０は、図示せぬ、給油所内に設けられたＰＯＳ端末機が接続されている給油所内ＬＡＮとも通信接続されている。給液装置１を使用して給液対象に対して行われた軽油及び/又は尿素水の給液情報は、ＰＯＳ端末機によって販売時点管理されるようになっている。なお、この装置制御部４０の給油所内ＬＡＮに対する通信接続は、前述した軽油給液機１０Ａの無線送受信機３５や別途設けられた専用の無線送受信機を使用してワイヤレス接続してもよいし、給油所内に敷設された給油所内ＬＡＮ回線に装置制御部４０をワイヤード接続してもよい。
【００３７】
図２は、本実施の形態に係る給液装置に設けられた設定器の外観図である。
【００３８】
設定器３１は、その設定操作部や設定表示部を、カードリーダ３４のカード読み取り走査部、伝票発行機３５の伝票出力部とともに、一体的に軽油給液機１０Ａのハウジング１１から臨ませてなる構成になっている。
【００３９】
図示の例では、設定器３１は、液種選択キー（「軽油」キー、「尿素水」キー）５１、プリセット入力キー（テンキー、「満タン」キー）５２、プリセット設定キー（「設定」キー）５３、設定表示部５４、設定完了キー（「設定完了」キー）５５を有する構成になっている。
【００４０】
この場合、液種選択キー５１は、プリセット内容を入力する液種（軽油か尿素水かの種別）、すなわちこれから入力するプリセット内容が軽油給液機１０Ａ、尿素水給液機１０Ｂの中のいずれに対してのものであるかを設定するためのものである。プリセット入力キー５２は、液種選択キー５１で選択された液種について、プリセット給液量、プリセット給液金額、満タンといった、給液対象に対して行う給液内容を設定するためのものである。プリセット設定キー５３は、液種選択キー５１で選択された液種についての、プリセット入力キー５２で入力された給液内容を確定するためのものである。
【００４１】
設定器３１は、顧客が所持する給液対象の識別カードをカードリーダ３４で読み取らせ、給油所内ＬＡＮを介して接続されたＰＯＳ端末機によってその識別カードの認証が行われ、その識別カードが適正であれば、設定操作可能になる。作業者は、設定操作可能になった設定器３１で、次に述べるようにしてプリセット内容を設定入力することができる。
【００４２】
例えば、図示の設定器３１では、車輌に軽油給液機１０Ａを使用して１００Ｌの軽油を給液しようとする場合は、作業者は、液種選択キー５１の「軽油」キー５１Ａを操作し、プリセット入力キー５２の「供給量」、「１」、「０」、「０」を操作し、その設定内容（「軽油１００Ｌ」）を設定表示部５４の表示で確認し、プリセット設定キー５３の「設定」キーを操作することにより、軽油給液機１０Ａに対するプリセット内容を設定できる。
【００４３】
また、車輌に尿素水給液機１０Ｂを使用して２０Ｌの尿素水を給液しようとする場合は、液種選択キー５１の「尿素水」キー５１Ｂを操作し、プリセット入力キー５２の「供給量」、「２」、「０」を操作し、その設定内容（「尿素水２０Ｌ」）を設定表示部５４の表示で確認し、プリセット設定キー５３である「設定」キーを操作することにより設定できる。
【００４４】
さらに、同じ車輌に、軽油給液機１０Ａを使用して軽油の給液と、尿素水給液機１０Ｂを使用して尿素水給液とを行う場合は、上述したような軽油給液機１０Ａに対するプリセット内容の設定と尿素水給液機１０に対するプリセット内容の設定の両方を、設定器３１を操作して行うことになる。
【００４５】
そして、作業者は、このようにして車輌に補給する軽油及び/又は尿素水のプリセット設定が完了したら、設定完了キー５５を操作することにより、軽油給液機１０Ａと尿素水給液機１０Ｂとを備えた給液装置１を用いてこれから行う給液作業の作業内容を確定することができる。
【００４６】
次に、上述した給液装置１の装置制御部４０による給液装置制御構成について、軽油給液機１０Ａ、尿素水給液機１０Ｂそれぞれに設けられた給液制御部２３による給液制御構成と関連付けて説明する。
給液装置１の装置制御部４０による給液装置制御構成に説明するに当たって、まず、軽油給液機１０Ａ、尿素水給液機１０Ｂそれぞれに設けられた給液制御部２３による軽油給液機１０Ａ、尿素水給液機１０Ｂそれぞれの給液制御構成について、図３に基づいて説明する。
【００４７】
図３は、軽油給液機、尿素水給液機それぞれに設けられた給液制御部が実行する給液制御のフローチャートである。
【００４８】
各給液機１０Ａ、１０Ｂの給液制御部２３は、給液装置１の装置起動後、給液ノズル１７がノズル収納部２０に収納されている作業待機時は、これから行う給液作業のプリセット設定情報の入力があったか否かを監視している（Ｓ201）。なお、ここでのプリセット設定情報は、これから給液装置１を用いて行う給液作業の作業内容に給液機１０Ａ、１０Ｂを用いた給液作業が含まれる場合、装置制御部４０から各対応する給液機１０Ａ、１０Ｂに供給される、当該給液機を用いた給液作業に関してのプリセット設定情報である。このプリセット設定情報には、設定器３１によって設定された、所望の給液量若しくは給液金額からなる指定量、又は満タン設定も含まれる。
【００４９】
装置制御部４０からプリセット設定情報の入力があると（Ｓ201：YES）、給液制御部２３は、この入力されたプリセット設定情報を記憶するとともに、給液ノズル１７が作業者によりノズル収納部２０から取り出されたか否かを、ノズルスイッチ２１から供給されるノズルスイッチ信号を基に監視する（Ｓ202）。
【００５０】
そして、作業者によって給液ノズル１７がノズル収納部２０から取り出されると（Ｓ202：YES）、給液制御部２３は、装置制御部４０に対して、給液作業の許可要求を発信する（Ｓ203）。その際、給液制御部２３が尿素水給液機１０Ｂの給液制御部２３Ｂである場合は、この許可要求を、無線送受信機４５Ｂを介して、装置制御部４０が配設された軽油給液機１０Ａの無線送受信機４５Ａに無線送信する（Ｓ203）。
【００５１】
また、給液制御部２３では、自身の所定のカウンタや記憶エリアについて、新たな給液作業が開始されるに当たっての初期化が行われる。その際、装置制御部４０を同じハウジング１１内に収容する軽油給液機１０Ａの給液制御部２３Ａにあっては、給液表示器２２における給液量、給液金額等の表示や合算表示器３３の表示のゼロリセットも行われる（Ｓ204）。
【００５２】
このようにして給液作業の開始準備が整うと、給液制御部２３は、装置制御部４０から、許可要求を発信したこれから行う給液作業についての許可応答が入力されたか否かを監視する（Ｓ205）。
【００５３】
その後、給液制御部２３は、装置制御部４０から許可応答が入力されると（Ｓ205：YES）、送液機器としてのポンプ１２、電磁弁１４を送液作動し、ポンプ１２から給液ノズル１７への送液を開始させる（Ｓ206）。
【００５４】
そして、作業者のノズル開弁操作によって給液ノズル１７から給液対象への液吐出が開始されると、給液制御部２３は、流量計１３に付設された流量パルス発信器１９から出力される流量パルス信号を基に、今回給液作業における、給液対象に対する給液量を演算更新する（Ｓ207）。
【００５５】
加えて、給液制御部２３が軽油給液機１０Ａの給液制御部２３Ａである場合には、この演算更新した給液量、及びこの給液量を基に算出された給液金額を、遂次、給液表示器２２に表示出力する一方（Ｓ208Ａ）、給液制御部２３が尿素水給液機１０Ｂの給液制御部２３Ｂである場合は、給液制御部２３Ｂが設けられている尿素水給液機１０Ｂのハウジング１１Ｂには給液表示器が備えられていないので、尿素水用の給液表示器３２が設けられている軽油給液機１０Ａの装置制御部４０に対し、遂次、演算更新した給液量に対応する計量信号を、無線送受信機４５Ｂを介して、装置制御部４０が配設された軽油給液機１０Ａの無線送受信機４５Ａに無線送信出力する（Ｓ208Ｂ）。
【００５６】
給液対象に対する液吐出が開始されると、給液制御部２３は、上述した給液対象に対する給液量の演算更新等とともに（Ｓ207、Ｓ208）、その給液量が装置制御部４０から供給されたプリセット設定情報に含まれた指定量（所望の給液量若しくは給液金額）になったか否か（Ｓ209）、給液ノズル１７がレバー操作や自動閉弁機構の作動により弁機構が閉弁されて給液対象に対する液吐出が終了させられ、ノズル収納部２０に戻されて収納されたか否か（Ｓ210）も併せて監視している。
【００５７】
給液制御部２３は、給液量が指定量になった場合は（Ｓ209：YES）、送液機器としての電磁弁１４を閉弁したり、ポンプモータ１８を駆動停止したりして（Ｓ211）、給液対象に対する指定量の給液を作業者のノズル操作によらずに自動完了させた後、給液ノズル１７がノズル収納部２０に戻されて収納されたか否かを監視する（Ｓ212）。一方、給液制御部２３は、満タン設定で、レバー操作や自動閉弁機構の作動により給液ノズル１７が閉弁されて給液対象に対する液吐出が終了し、給液ノズル１７がノズル収納部２０に収納された場合は（Ｓ210：YES）、送液機器としての電磁弁１４を閉弁し、ポンプモータ１８を駆動停止する（Ｓ213）。
【００５８】
給液制御部２３は、ノズル収納部２０に給液ノズル１７が収納され、給液作業が終了したのを検出すると（Ｓ210：YES、Ｓ212：YES）、装置制御部４０に対し、給液量等の給液結果情報を含む給液作業完了報告を発信する（Ｓ214）。その際、尿素水給液機１０Ｂの給液制御部２３Ｂの場合は、この完了報告を無線送受信機４５Ｂを介して、装置制御部４０が配設された軽油給液機１０Ａの無線送受信機４５Ａに無線送信出力する。
【００５９】
このように、軽油給液機１０Ａ、尿素水給液機１０Ｂそれぞれに設けられた給液制御部２３は、装置制御部４０からそれぞれに供給されるプリセット設定情報を基に、それぞれに対応の軽油、尿素水を給液対象に補給する給液系統の作動制御を行う。
【００６０】
図４〜６は、軽油給液機と尿素水給液機とを備えた給液装置のメイン制御部としての装置制御部による給液装置制御のフローチャートである。
【００６１】
図１に図示した例では、給液装置１のメイン制御部としての装置制御部４０は、軽油給液機１０Ａのハウジング１１Ｂに設けられている。
【００６２】
給液装置１の装置制御部４０は、図４に示すように、顧客がカードリーダ３４で読み取らせた給液対象の識別カードが適正であることを確認すると（Ｓ010：YES）、自身の所定のカウンタや記憶エリアについて、新たな給液作業を開始するに当たっての初期化を行う（Ｓ011）。そして、装置制御部４０は、設定器３１による、これから行う新たな給液作業についてのプリセット設定情報の設定入力を可能にする。
【００６３】
それから、装置制御部４０は、設定器３１と協働し、設定器３１からの操作入力を基に、ステップＳ020〜Ｓ042に示すようにして、軽油給液機１０Ａの給液制御部２３Ａ及び/又は尿素水給液機１０Ｂの給液制御部２３Ｂに供給するプリセット設定情報の生成を行う。
【００６４】
装置制御部４０は、プリセット設定情報の生成に当たって、設定器３１の、液種選択キー５１の「軽油」キー５１Ａが操作されたか否か（Ｓ020）、「尿素水」キー５１Ｂが操作されたか否か（Ｓ030）、或いは「設定完了」キー（設定完了キー）５５が操作されたか否か（Ｓ040）を監視している。
【００６５】
そして、装置制御部４０は、「軽油」キー５１Ａの操作を検知した場合は（Ｓ020：YES）、ステップＳ021〜Ｓ028に示すような軽油給液機１０Ａに対するプリセット設定情報の生成処理を行い、「尿素水」キー５１Ｂの操作を検知した場合は（Ｓ030：YES）、ステップＳ031〜Ｓ038に示すような尿素水給液機１０Ｂに対するプリセット設定情報の生成処理を行い、「設定完了」キー５５の操作を検知した場合は（Ｓ040：YES）、これら生成されたプリセット設定情報を該当する給液機１０の給液制御部２３に供給する出力処理を行う。
【００６６】
プリセット設定情報の生成処理について、軽油給液機１０Ａに対するプリセット設定情報の生成処理（Ｓ021〜Ｓ028）を例に説明すれば、装置制御部４０は、「軽油」キー５１Ａの操作を検知すると、続いて、設定器３１のプリセット入力キー５２の「満タン」キーが操作されたか否か（Ｓ021）、「供給量」キーが操作されたか否か（Ｓ022）、「供給金額」キーが操作されたか否か（Ｓ023）を監視している。
【００６７】
ここで、装置制御部４０は、「満タン」キーの操作を検知すると（Ｓ021：YES）、これから行う新たな給液作業について満タンを設定記憶する（Ｓ028）。
【００６８】
同様にして、装置制御部４０は、「供給量」キーの操作を検知すると（Ｓ022：YES）、続けてプリセット入力キー５２のテンキー操作で入力された数値を軽油のプリセット給液量として設定して設定表示部５４に表示し（Ｓ024）、「設定」キー（プリセット設定キー）５３の操作を検知すると（Ｓ025：YES）、これから行う新たな給液作業の軽油指定量としてこの設定されたプリセット給液量を設定記憶する（Ｓ028）。
【００６９】
また、装置制御部４０は、「供給金額」キーの操作を検知すると（Ｓ023：YES）、続けてプリセット入力キー５２のテンキー操作で入力された数値を軽油のプリセット給液金額として設定して設定表示部５４に表示し（Ｓ026）、「設定」キー５３の操作を検知すると（Ｓ027：YES）、これから行う新たな給液作業の軽油指定量としてこの設定されたプリセット給液金額を設定記憶する（Ｓ028）。
【００７０】
尿素水給液機１０Ｂに対するプリセット設定情報の生成処理の場合も、装置制御部４０は、上述の「軽油」キー５１Ａの操作を検知した場合と同様に「尿素水」キー５１Ｂの操作を検知すると、ステップＳ031〜Ｓ038に示すようにして、満タン設定、又はプリセット給液量若しくはプリセット給液金額からなる尿素水指定量を設定記憶する。
【００７１】
一方、装置制御部４０は、「設定完了」キー５５の操作を検知した場合は（Ｓ040：YES）、プリセット設定情報の出力処理を、ステップＳ041、Ｓ042に示すようにして行う。
【００７２】
装置制御部４０は、「設定完了」キー５５の操作を検知すると、まず、上述した軽油給液機１０Ａに対するプリセット設定情報の生成処理（Ｓ021〜Ｓ028）又は尿素水給液機１０Ｂに対するプリセット設定情報の生成処理（Ｓ031〜Ｓ038）によって、軽油給液機１０Ａ、尿素水給液機１０Ｂの中の少なくともいずれかに対する満タン設定或いは指定量が設定・記憶されているか否かを確認する（Ｓ041）。
【００７３】
そして、装置制御部４０は、軽油給液機１０Ａ、尿素水給液機１０Ｂのいずれに対しても満タン設定或いは指定量が設定・記憶されていない場合は（Ｓ041：NO）、図示の例では、今回の給液対象の識別カードの読み取りに基づく給液対象に対する軽油及び/又は尿素水の給液作業を中止し、終了させるようになっている。
【００７４】
これに対し、軽油給液機１０Ａ、尿素水給液機１０Ｂの中の少なくともいずれかに対する満タン設定或いは指定量が設定・記憶されている場合は（Ｓ041：YES）、装置制御部４０は、その満タン設定或いは指定量を含む該当給液機のプリセット設定情報を生成し、この生成したプリセット設定情報を、軽油給液機１０Ａ又は尿素水給液機１０Ｂの中の該当する給液機１０の給液制御部２３に供給出力する（Ｓ042）。
【００７５】
したがって、図示の例の給液装置１において、１台の同じ車輌に対して軽油及び尿素水溶液の補給作業を行う場合には、作業者は、設定器３１の液種選択キー５１の「軽油」キー５１Ａ、「尿素水」キー５１Ｂをそれぞれ操作して軽油給液機１０Ａ、尿素水給液機１０Ｂを順次選択し、満タン又はプリセット給液量若しくはプリセット給液金額からなる指定量を給液機個別に設定・記憶した上で、「設定完了」キー５５を操作することになる。また、１台の同じ車輌に対して軽油又は尿素水の中のいずれか一方だけの補給作業を行う場合は、作業者は、設定器３１の液種選択キー５１の「軽油」キー５１Ａ、「尿素水」キー５１Ｂの中の該当する一方のみを操作して一方の給液機１０についてのみ選択し、満タン又はプリセット給液量若しくはプリセット給液金額からなる指定量を設定・記憶しただけで、「設定完了」キー５５を操作すればよいことになる。
【００７６】
図示の例の給液装置１では、１台の同じ車輌に対して軽油だけを給液する場合は、軽油給液機１０Ａの給液制御部２３に対してだけ、設定器３１の操作により生成された軽油のプリセット設定情報が供給され、尿素水だけを給液する場合は、尿素水給液機１０Ｂの給液制御部２３に対してだけ、設定器３１の操作により生成された尿素水のプリセット設定情報が供給され、軽油及び尿素水の双方を給液する場合は、軽油給液機１０Ａの給液制御部２３、尿素水給液機１０Ｂの給液制御部２３それぞれに、設定器３１の操作により生成された該当するプリセット設定情報が供給される。
【００７７】
図示の給液装置１では、このようなプリセット設定情報の生成処理によって、作業者によって「設定完了」キー５５が操作されるまでは、軽油給液機１０Ａ、尿素水給液機１０Ｂいずれにもプリセット設定情報は供給されない。したがって、「設定完了」キー５５が操作されるまでは、給液ノズル１７に対する送液は行われないので、一旦設定した満タン又は指定量は訂正及び取り消し（例えば、取り消しは、指定量を「０」に設定し直すことによって行える）可能である。
【００７８】
そして、装置制御部４０は、ステップＳ020〜Ｓ042に示すようにして、設定器３１の操作に基づくプリセット設定情報の生成を終えると、プリセット設定情報を供給した給液機１０それぞれについて給液作業の許可処理を行い、プリセット設定情報を供給した給液機１０の中に尿素水給液機１０Ｂが含まれる場合は、ハウジング１１Ｂに給液表示器を備えていない尿素水給液機１０Ｂの尿素水給液量や尿素水給液金額といった給液情報を、軽油給液機１０Ａのハウジング１１Ａに備えられた給液表示器３２に表示する表示処理を行い、１台の同じ車輌に対して軽油及び尿素水双方の給液作業が行われる場合は、さらに合算表示器３３の表示処理を行う。加えて、装置制御部４０は、プリセット設定情報を供給した給液機１０全ての給液作業が完了した場合の伝票発行処理を行う。装置制御部４０は、これらの処理を、例えば図５及び図６に示すようにして行う。
【００７９】
装置制御部４０は、軽油給液機１０Ａの給液制御部２３Ａから給液作業の許可要求が入力されたか否か（Ｓ110）、尿素水給液機１０Ｂの給液制御部２３Ｂから給液作業の許可要求を無線受信したか否か（Ｓ120）、尿素水給液機１０Ｂの給液制御部２３Ｂから計量信号を無線受信したか否か（Ｓ130）、軽油給液機１０Ａの給液制御部２３Ａから軽油の給液作業の完了報告が入力されたか否か（Ｓ140）、尿素水給液機１０Ｂの給液制御部２３Ｂから尿素水の給液作業の完了報告が入力されたか否か（Ｓ150）、１台の同じ車輌に対して軽油及び尿素水の双方を給液する給液作業であるか否か（Ｓ160）、を監視している。
【００８０】
そして、装置制御部４０は、軽油給液機１０Ａの給液制御部２３Ａから給液作業の許可要求が入力された場合は（Ｓ110：YES）、ステップＳ111〜Ｓ114に示すような軽油給液機１０Ａによる給液作業の開始許可処理を行い、尿素水給液機１０Ｂの給液制御部２３Ｂから給液作業の許可要求が入力された場合は（Ｓ120：YES）、ステップＳ121〜Ｓ124に示すような尿素水給液機１０Ｂによる給液作業の開始許可処理を行い、尿素水給液機１０Ｂの給液制御部２３Ｂから給液量に係る計量信号を受信した場合には（Ｓ130：YES）、ステップＳ131〜Ｓ135に示すような給液表示器３２についての更新表示処理を行い、軽油給液機１０Ａの給液制御部２３Ａから給液作業の完了報告が入力された場合は（Ｓ140：YES）、ステップＳ141〜Ｓ148に示すような給液作業完了処理を行い、尿素水給液機１０Ｂの給液制御部２３Ａからの給液作業の完了報告を受信した場合は（Ｓ150：YES）、ステップＳ151〜Ｓ158に示すような給液作業完了処理を行い、１台の同じ車輌に対して軽油及び尿素水の双方を給液する給液作業である場合は（Ｓ160：YES）、ステップＳ161〜Ｓ164に示す合算表示器３３についての更新表示処理を行う。
【００８１】
給液機１０による給液作業の開始許可処理について、軽油給液機１０Ａによる給液作業の開始許可処理を例に説明すれば、装置制御部４０は、これから軽油給液機１０Ａを用いて行おうとする給液作業に係る軽油の指定量が記憶されているか否か（Ｓ111）、及び自身のメモリの所定エリアに軽油給液機１０Ａについて給液作業の開始済が記憶されているか否か（Ｓ112）、についてまず確認する。なお、図示の例の給液装置１の場合は、軽油給液機１０Ａの給液制御部２３Ａは、給液作業の許可要求の発信条件を、図３のステップＳ201、Ｓ202で示したように給液ノズル１７のノズル収納部２０からの取り出し（Ｓ202）だけとせず、装置制御部４０からのプリセット設定情報の入力（Ｓ201）も発信条件としているので、ステップＳ111の処理は省略可能である。
【００８２】
そして、装置制御部４０は、自身のメモリの所定の記憶エリアに未だ軽油給液機１０Ａについて給液作業の開始済が記憶されていなければ（Ｓ112：NO）、軽油給液機１０Ａの給液制御部２３Ａに対して給液作業の開始許可を出力し（Ｓ113）、自身のメモリの所定エリアに軽油給液機１０Ａについて給液作業の開始済を記憶する（Ｓ114）。
【００８３】
また、尿素水給液機１０Ｂの給液制御部２３Ａから給液作業の許可要求が入力された場合も（Ｓ120：YES）、装置制御部４０は、上述の軽油給液機１０Ａの給液制御部２３Ａから給液作業の許可要求が入力された場合（Ｓ110：YES）と同様に、ステップＳ121〜Ｓ124に示すようにして、尿素水給液機１０Ｂに対する給液作業の開始許可処理を行う。
【００８４】
図示の給液装置１では、このような給液作業の開始許可処理によって、１台の同じ車輌に対して軽油及び尿素水の双方を給液する場合であっても、「設定完了」キー５５が操作され、装置制御部４０から軽油給液機１０Ａ、尿素水給液機１０Ｂにそれぞれのプリセット設定情報が供給されていれば、装置制御部４０が給液作業の許可要求を受けて開始許可した順に、軽油給液機１０Ａ、尿素水給液機１０Ｂそれぞれにおける給液ノズル１７に対する送液が開始されるので、軽油給液機１０Ａによる軽油給液作業と尿素水給液機１０Ｂによる尿素水給液作業とを並行して行うこと、或いは別々に順次行うことを、作業者はそれぞれの給液ノズル１７の操作によって任意に選択可能である。
【００８５】
一方、このような開始許可処理によって給液作業の開始を許可してある尿素水給液機１０Ｂの給液制御部２３Ｂから計量信号を無線受信した場合は（Ｓ130：YES）、装置制御部４０は、ステップＳ131〜Ｓ135に示すような給液表示器３２についての更新表示処理を行う。
【００８６】
この給液表示器３２についての更新表示処理では、装置制御部４０は、尿素水給液機１０Ｂの給液制御部２３Ｂから無線受信した計量信号に基づいて、給液対象に対する尿素水の給液量、給液金額を含む尿素水給液情報を演算更新し（Ｓ131）、これを給液表示器３２に更新表示する（Ｓ132）。
【００８７】
さらに、装置制御部４０は、軽油の指定量が設定されているか否かを確認することにより、１台の同じ車輌に対して軽油及び尿素水双方の給液作業が行われるか否かを確認し（Ｓ133）、１台の同じ車輌に対して軽油及び尿素水の双方の給液作業が行われる場合には（Ｓ133：YES）、軽油給液機１０Ａの給液制御部２３Ａから取得した軽油の給液情報に基づき、軽油及び尿素水の合算給液金額を演算更新し（Ｓ134）、これを合算表示器３３に更新表示する（Ｓ135）。
【００８８】
図示の給液装置１では、このような給液表示器３２についての更新表示処理を実行することによって、軽油給液機１０Ａとは別筐体で離間している尿素水給液機１０Ｂを用いた給液作業で、給液対象に対する尿素水の給液量の確認を設定器３１が設けられている軽油給液機１０Ａのハウジング１１Ａ側で給液表示器３２を視認できる。作業者は、給液対象に対する設定器３１を用いた尿素水給液作業の設定と給液表示器３２を用いた尿素水の給液量の確認を一所で行える。
【００８９】
また、このような開始許可処理によって給液作業の開始を許可してある軽油給液機１０Ａ又は尿素水給液機１０Ｂの給液制御部２３から給液作業の完了報告が入力した場合は（Ｓ140：YES、Ｓ150：YES）、装置制御部４０は、ステップＳ141〜Ｓ148、Ｓ151〜Ｓ158に示すような給液作業完了処理を行う。なお、この軽油給液機１０Ａ又は尿素水給液機１０Ｂの給液制御部２３から給液作業の完了報告は、図３のステップＳ214で説明したように、軽油給液機１０Ａ又は尿素水給液機１０Ｂによる給液作業の完了時に、軽油給液機１０Ａ又は尿素水給液機１０から装置制御部４０に供給されるものである。
【００９０】
この給液作業完了処理について、軽油給液機１０Ａの給液制御部２３Ａから軽油給液機１０Ａによる軽油給液作業の完了報告が入力した場合（Ｓ140：YES）を例に説明すれば、装置制御部４０は、その完了報告を基に、軽油給液機１０Ａを用いた今回の軽油給液作業の給液結果を自身のメモリの所定エリアにまず記憶する（Ｓ141）。
【００９１】
そして、装置制御部４０は、自身のメモリの所定エリアに、尿素水給液機１０Ｂについて満タン又は指定量の設定が記憶されているか否かを確認することにより（Ｓ142）、１台の同じ車輌に対して軽油及び尿素水の双方の給液作業が行われる場合であるか否かを確認する。
【００９２】
これにより、１台の同じ車輌に対して軽油の給液作業だけが行われる場合であることを確認すると（Ｓ142：NO）、装置制御部４０は、今回の軽油給液作業の給液結果を基に伝票データを生成し、今回の軽油給液作業だけの給液伝票を伝票発行機３５から印字発行させる（Ｓ143）。そして、装置制御部４０は、今回の１台の同じ車輌に対しての軽油だけの給液作業に係る給液装置制御を終了する。
【００９３】
これに対し、１台の同じ車輌に対して軽油及び尿素水の双方の給液作業が行われる場合であることを確認すると（Ｓ142：YES）、装置制御部４０は、自身のメモリの所定エリアに、尿素水給液機１０Ｂを用いた今回の尿素水給液作業の完了済が記憶されているか否かを確認することにより（Ｓ144）、軽油給液機１０Ａによる軽油給液作業が完了した時点で既に尿素水給液機１０Ｂによる尿素水給液作業が完了しているか否かを確認する。
【００９４】
この結果、尿素水給液機１０Ｂを用いた尿素水給液作業が未だ完了していない場合は（Ｓ144：NO）、装置制御部４０は、自身のメモリの所定エリアに、軽油給液機１０Ａによる軽油給液作業が完了済であることを記憶する（Ｓ146）。また、装置制御部４０は、自身のメモリの所定エリアに、図５のステップＳ124で説明した尿素水給液機１０Ｂについての給液作業の開始済が記憶されている否かを確認し（Ｓ147）、作業者によって尿素水給液機１０Ｂを用いた尿素水給液作業が未だ開始されていない場合は（Ｓ147：NO）、その旨を、例えば、設定器３１の設定表示部５４における尿素水の設定内容表示を点滅させる等して報知する（Ｓ148）。そして、装置制御部４０は、今回の１台の同じ車輌に対しての軽油及び尿素水の双方の給液作業に係る給液装置制御を続行する。
【００９５】
一方、尿素水給液機１０Ｂを用いた尿素水給液作業が既に完了している場合は（Ｓ144：YES）、装置制御部４０は、自身のメモリの所定エリアに記憶されている軽油給液機１０Ａを用いた今回の軽油給液作業の給液結果と尿素水給液機１０Ｂを用いた今回の尿素水給液作業の給液結果とを基に、今回の１台の同じ車輌に対しての軽油及び尿素水の双方の給液作業について纏めた伝票データを生成し、その給液伝票を伝票発行機３５から印字発行させる（Ｓ145）。そして、装置制御部４０は、今回の１台の同じ車輌に対しての軽油及び尿素水の双方の給液作業に係る給液装置制御を終了する。
【００９６】
また、尿素水給液機１０Ｂの給液制御部２３Ｂから尿素水給液機１０Ｂによる尿素水給液作業の完了報告を受信した場合も（Ｓ150：YES）、装置制御部４０は、上述の軽油給液機１０Ａの給液制御部２３Ａから軽油給液作業の完了報告が入力された場合（Ｓ140：YES）と同様に、ステップＳ151〜Ｓ156に示すようにして、尿素水給液機１０Ｂに対する給液作業完了処理を行う。
【００９７】
図示の給液装置１では、このような給液作業完了処理を実行することによって、１台の同じ車輌に対して軽油の給液作業だけが行われる場合、尿素水の給液作業だけが行われる場合、軽油及び尿素水の双方の給液作業が行われる場合それぞれに対応して、給液作業完了後、適切な対応する１台の同じ車輌に対して軽油の給液作業だけが行われる場合、尿素水の給液作業だけが行われる場合、軽油及び尿素水の双方の給液作業が行われる場合それぞれに対応して、適切な対応する給液伝票を伝票発行機３５から印字発行させることができる。
【００９８】
また、１台の同じ車輌に対して軽油及び尿素水の双方を給液する場合に、軽油給液機１０Ａによる軽油給液作業と尿素水給液機１０Ｂによる尿素水給液作業とを別々に順次行う場合に順番が後回しの給液作業のし忘れがあっても、伝票発行機３５から給液伝票が発行されないだけではなく、警報により確認することができる。
【００９９】
一方、装置制御部４０は、１台の同じ車輌に対して軽油及び尿素水の双方を給液する給液作業である場合は（Ｓ160：YES）、ステップＳ161〜Ｓ164に示す合算表示器３３についての更新表示処理を行う。
【０１００】
合算表示器３３についての更新表示処理では、装置制御部４０は、１台の同じ車輌に対して軽油及び尿素水の双方を給液する給液作業である場合に（Ｓ160：YES）、軽油給液機１０Ａによる軽油の給液作業が未だ完了しておらず（Ｓ161：NO）、かつ尿素水給液機１０Ｂによる尿素水の給液作業が既に完了している場合は（Ｓ162：YES）、軽油給液機１０Ａの給液制御部２３Ａから取得した軽油の給液情報に基づき、軽油及び尿素水の合算給液金額を演算更新し（Ｓ163）、これを合算表示器３３に更新表示する（Ｓ164）。
【０１０１】
図示の給液装置１では、このような合算表示器３３についての更新表示処理を実行することによって、１台の同じ車輌に対して軽油及び尿素水の双方を給液する給液作業である場合に、軽油に対して給液量が少ない尿素水の給液作業が終了しても軽油給液機１０Ａによる軽油の給液作業が続いている場合でも、合算表示器３３の表示を更新表示することができる。
【０１０２】
そして、上述した給液装置１によれば、読み取った識別カードに対応した給液作業毎に、装置制御部４０による図４〜６に示した給液装置制御と、軽油給液機１０Ａ、尿素水給液機１０Ｂそれぞれの給液制御部２３による図３に示した給液制御とが協働して実行されるので、次に述べるような効果を奏することができる。
【０１０３】
まず、それぞれ別々のハウジング１１を有する互いに独立した軽油給液機１０Ａと尿素水給液機１０Ｂとを備えた給液装置１において、給液対象に対する軽油だけ、尿素水だけ、軽油及び尿素水の双方といった給液作業の相違にかかわらず設定器を一の設定器３１で兼用することができるので、作業者はこれら給液作業の設定を、一か所、例えば軽油給液機１０Ａ側で容易に済ますことができる。加えて、給液機毎に専用の設定器を設ける必要もないので、この種の給液装置のコスト低減もはかれる。
【０１０４】
また、１台の同じ車輌に対して軽油及び尿素水の双方の給液作業を行う場合、予め定められた、例えば設定器３１の「設定完了」キー５５の操作による並行給液実行条件が満たされていれば、軽油及び尿素水溶液それぞれの対応するタンクへの補給を並行して行えるので、それぞれの補給に費やす作業時間を短縮することができる。
【０１０５】
そして、軽油及び尿素水溶液それぞれの対応するタンクへの補給を並行して行っている際も、一方側の給液機、例えば、軽油給液機１０Ａによる給液時間が長くなるような場合であっても、揮発性燃料の軽油給液機１０Ａ側のハウジング１１に給液機１０Ａ、１０Ｂそれぞれの給液量表示器２２、３２、及び合算表示器３３が集中的に配置されているので、それぞれの給液量等の変化を一緒に把握しやすい。
【０１０６】
また、１台の同じ車輌に対して軽油及び尿素水の双方の給液作業を行う場合、両方の給液作業が完了した時点で軽油給液作業と尿素水給液作業とを纏めた給液伝票が発行されるので、例えば、各々の給液作業が完了すると該当する給液作業の給液伝票が発行される場合に生じ得る、いずれか一方の給液伝票の取り忘れを防止できる。
【０１０７】
さらに、１台の同じ車輌に対して軽油及び尿素水の双方の給液作業を行う場合、給液伝票が発行されないことをもって、軽油給液機１０Ａ又は尿素水給液機１０Ｂの中のいずれかの給液ノズル１７がノズル収納部２０に戻されていない等の異常が生じていることを、作業者に知らせることができる。
【０１０８】
その上で、図４〜図６に示した、給液装置１のメイン制御部としての装置制御部４０による給液装置制御は、上記した作用・効果を実現する具体的処理の一実施例であるに過ぎず、種々の変形例が可能である。
【０１０９】
図７、図８は、給液装置のメイン制御部としての装置制御部による給液装置制御の変形例のフローチャートである。
図７は、図５に示した各処理に対応し、図８は、図６に示した各処理に対応する。図７、図８において、図５、図６に示した処理と同様なステップ処理については、同じ符号を付して重複する説明は省略する。
【０１１０】
図７に示した給液装置制御では、図５に示した給液装置制御とは異なり、１台の同じ車輌に対して軽油及び尿素水の双方の給液作業を行う場合は、装置制御部４０は、軽油給液機１０Ａの給液制御部２３Ａから軽油給液作業の許可要求が入力され、かつ尿素水給液機１０Ｂの給液制御部２３Ｂから尿素水給液作業の許可要求を受信しなければ、軽油給液機１０Ａの給液制御部２３Ａ、尿素水給液機１０Ｂの給液制御部２３Ｂそれぞれに給液作業の開始許可を出力しないようになっている。
【０１１１】
そのために、軽油給液機１０Ａの給液制御部２３Ａから軽油給液作業の許可要求が入力された場合は（Ｓ110：YES）、装置制御部４０は、軽油給液機１０Ａの給液制御部２３Ａに対して給液作業の開始許可を出力する前に、まず、尿素水給液機１０Ｂを用いる尿素水給液作業に係る尿素水の満タン設定や指定量が記憶されているか否かを確認するようになっている（Ｓ115）。
【０１１２】
そして、尿素水の満タン設定や指定量が記憶されておらず（Ｓ115：NO）、車輌に対する給液作業が軽油給液作業だけである場合は、装置制御部４０は、軽油給液機１０Ａの給液制御部２３Ａに対して給液作業の開始許可を出力する（Ｓ118）。
【０１１３】
これに対し、尿素水の満タン設定や指定量が記憶され（Ｓ115：YES）、車輌に対する給液作業が軽油及び尿素水の双方の給液作業である場合は、装置制御部４０は、自身のメモリの所定の記憶エリアに尿素水給液機１０Ｂについての給液作業の開始済が記憶されているか否かを確認し（Ｓ116）、未だ尿素水給液機１０Ｂについての給液作業の開始済が記憶されていない場合は（Ｓ116：NO）、給液作業の開始許可の要求を受けた軽油給液機１０Ａの給液制御部２３Ａに対して給液作業の開始許可を応答出力しない。これに対し、尿素水給液機１０Ｂについての給液作業の開始済が既に記憶されている場合は（Ｓ116：YES）、装置制御部４０は、給液作業の開始許可の要求を受けた軽油給液機１０Ａの給液制御部２３Ａに対して給液作業の開始許可を応答出力するとともに、尿素水給液機１０Ｂの給液制御部２３Ｂに対しても給液作業の開始許可を無線送信する（Ｓ117、Ｓ118）。
【０１１４】
同様にして、尿素水給液機１０Ｂの給液制御部２３Ｂからの尿素水給液作業の許可要求を無線受信した場合も（Ｓ120：YES）、装置制御部４０は、尿素水給液機１０Ｂの給液制御部２３Ｂに対して給液作業の開始許可を出力する前に、まず、軽油給液機１０Ａを用いる軽油給液作業に係る軽油の満タン設定や指定量が記憶されているか否かを確認するようになっている（Ｓ125）。
【０１１５】
そして、車輌に対する給液作業が尿素水給液作業だけである場合は（Ｓ125：NO）、装置制御部４０は、尿素水給液機１０Ｂの給液制御部２３Ｂに対して給液作業の開始許可を出力する一方（Ｓ128）、車輌に対する給液作業が軽油及び尿素水の双方の給液作業である場合は（Ｓ125：YES）、軽油給液機１０Ａについての給液作業の開始済が既に記憶されている場合にのみ（Ｓ126：YES）、装置制御部４０は、給液作業の開始許可の要求を受けた尿素水給液機１０Ｂの給液制御部２３Ｂに対して給液作業の開始許可を無線送信するとともに、軽油水給液機１０Ａの給液制御部２３Ａに対しても給液作業の開始許可を出力する（Ｓ127、Ｓ128）。
【０１１６】
図示の給液装置１では、このような軽油給液機１０Ａ及び尿素水給液機１０Ｂそれぞれの給液作業の開始許可処理が行われることにより、１台の同じ車輌に対して軽油及び尿素水の双方の給液作業を行う場合には、軽油給液機１０Ａ及び尿素水給液機１０Ｂそれぞれからの給油許可が入力されなければ、装置制御部４０は、軽油給液機１０Ａ、尿素水給液機１０Ｂのいずれにも給液作業の開始許可を供給しない構成になっている。
【０１１７】
これにより、１台の同じ車輌に対して軽油及び尿素水の双方の給液作業を行う場合は、軽油給液機１０Ａ及び尿素水給液機１０Ｂでは、両方の給液ノズル１７がそれぞれのノズル収納部２０から取り出されなければ、それぞれの給液ノズル１７への送液は開始されないので、作業者によって軽油及び尿素水それぞれの対応するタンクへの補給を並行して行うことが促進され、作業時間の短縮が一層促進されるとともに、軽油又は尿素水の中の一方の給液作業をし忘れることを防止できる。
【０１１８】
これに伴い、図８では、図７のステップＳ147，148、Ｓ157，158で説明した、１台の同じ車輌に対して軽油及び尿素水の双方の給液作業を行う場合における一方の給液作業のし忘れ報知が省略されている。
【０１１９】
このように、本実施の形態の給液装置１によれば、図４〜図６に示した装置制御部４０による給液装置制御による作用に加えて、上述した装置制御部４０による作用・効果を奏することができる。
【０１２０】
上記した変形例で示したように、給液装置１のメイン制御部としての装置制御部４０による給液装置制御は、上述した作用・効果を達成し得る限りにおいて、種々の変形例が可能である。
【０１２１】
また、これら給液装置１の実施の形態の説明では、軽油給液機１０Ａのハウジング１１に、装置制御部４０、設定器３１、尿素水給液機１０Ｂの給液表示器２２を設ける構成としたが、尿素水給液機１０Ｂのハウジング１１に、装置制御部４０、設定器３１、軽油給液機１０Ｂの給液表示器２２を設ける構成とすることも可能である。
【０１２２】
また、軽油給液機１０Ａ、尿素水給液機１０Ｂそれぞれの給液制御部２３、及び装置制御部４０は、それぞれマイクロコンピュータで構成したが、これらマイクロコンピュータはいずれかのマイクロコンピュータで共用させることも可能である。
【符号の説明】
【０１２３】
１  給液装置、
１０Ａ  軽油給液機、
１０Ｂ  尿素水給液機、
１１  ハウジング、
１２  ポンプ、
１３  流量計、
１４  電磁弁、
１５  液供給路、
１６  給液ホース、
１７  給液ノズル、
１８  ポンプモータ、
１９  流量パルス発信器、
２０  ノズル収納部、
２１  ノズルスイッチ、
２２  給液表示器、
２３  給液制御部、
３１  設定器、
３２  給液表示器、
３３  合算表示器、
３４  カードリーダ、
３５  伝票発行機、
４０  装置制御部、
４５  無線送受信機、
５１  液種選択キー、
５２  プリセット入力キー、
５３  プリセット設定キー、
５４  設定表示部、
５５  設定完了キー。
【図１】
2019156456.tif 000003
【図２】
2019156456.tif 000004
【図３】
2019156456.tif 000005
【図４】
2019156456.tif 000006
【図５】
2019156456.tif 000007
【図６】
2019156456.tif 000008
【図７】
2019156456.tif 000009
【図８】
2019156456.tif 000010